(57)【要約】【課題】複数種類の配達物を配達物の属性に応じて分別して収容することができ、しかも、二輪車の荷台に積載が可能であって、降雨や降雪時においても配達物を濡らさずに配達することが可能な配達物収容袋を提供する。【解決手段】シート体１２により形成され、外形が略直方体をなすと共に一壁面側が開口した袋体であって、袋体において隣接する２つの稜部２４ａ，２４ｂが袋体の開口部２２から袋体の中途部まで切り込まれていて、両切込部２６ａ，２６ｂに、切込部２６ａ，２６ｂを開閉可能にファスナー２８ａ，２８ｂが取り付けられ、ファスナー２８ａ，２８ｂを開くことにより、袋体の前記２つの陵部２４ａ，２４ｂ間の壁片２０ａが外方に開くように形成されていることを特徴とする。【選択図】図１
0003129958.tif 000002
【実用新案登録請求の範囲】
【請求項１】
シート体により形成され、外形が略直方体をなすと共に一壁面側が開口した袋体であって、
前記袋体において隣接する２つの稜部が前記袋体の開口部から前記袋体の中途部まで切り込まれていて、該両切込部に、切込部を開閉可能にファスナーが取り付けられ、
該ファスナーを開くことにより、前記袋体の前記２つの陵部間の壁片が外方に開くように形成されていることを特徴とする配達物収容袋。
【請求項２】
前記壁片と、該壁片と対向する対向壁片とには面ファスナーが設けられていることを特徴とする請求項１記載の配達物収容袋。
【請求項３】
前記面ファスナーは、一方の面ファスナーが前記壁片の内側面に設けられ、他方の面ファスナーが前記対向壁片の内側面および外側面に設けられていることを特徴とする請求項２記載の配達物収容袋。
【請求項４】
前記袋体の外周面に沿って周回され、一部が前記袋体に縫い付けられたベルトを有し、
前記縫付部間を把持部として用いることを特徴とする請求項１〜３のうちのいずれか一項に記載の配達物収容袋。
【請求項５】
前記袋体の壁片のうち少なくとも１つの壁片には収納ポケットが設けられていることを特徴とする請求項１〜４のうちのいずれか一項に記載の配達物収容袋。
【考案の詳細な説明】
【技術分野】
【０００１】
本考案は、新聞や雑誌等の配達物を配達する際に、配達物を収容するために用いる配達物収容袋に関する。
【背景技術】
【０００２】
降雨時や降雪時において二輪車で新聞を配達する際においては、新聞が雨や雪に濡れてしまわないように、二輪車後部の荷台に積載した容器に収容して配達を行うことがある。このように二輪車の荷台に積載されて用いられる新聞の収納容器としては、例えば特許文献１で開示されているようなものがある。
特許文献１に開示されている新聞配達用雨水防止装置は、枠材により形成された側壁面と、側壁面の上部側開口部を覆うための蓋により構成されたものである。二輪車の乗り手に対して左側又は右側の側壁面は、底部側がスライド可能に設けられていて、新聞の取り出し口に形成されている。
【特許文献１】特開２０００−２２５９７５号公報
【考案の開示】
【考案が解決しようとする課題】
【０００３】
しかしながら、近年においては、新聞配達をするべき同一エリア内であっても、新聞の種類が異なることが多いため、一台の二輪車であっても複数種類の新聞を配達しなければならず、新聞の取り出し部分から順番に新聞を取り出していく構造の新聞用配達容器では、予め、配達順に新聞を積み重ねておかなければならないという課題がある。加えて配達容器への新聞の積み込みに要する時間が長時間になってしまうため、配達開始時刻が遅くなってしまうという課題もある。
【０００４】
また、新聞に限らず、雑誌等の他の物品を配達する場合においても二輪車が用いられることが多い。玄関口にポストが設置されていない高層マンション等においては、各階毎に配達物を予め分別しておくことが必要になり、複数の配達物をまとめたうえで、二輪車の荷台に積載する場合もある。このような場合においては、配達者が運搬しやすく、二輪車にも容易に積み込むことができる形態の収容器が必要とされているが、現時点においてはこのような収容器が提案されていないのが実情である。
【０００５】
本考案は、以上の課題を解決すべく提案されたものであり、複数種類の配達物を配達物の属性に応じて分別して収容することができ、しかも、二輪車の荷台に積載が可能であって、降雨や降雪時においても配達物を濡らさずに配達することが可能な配達物収容袋を提供することを目的としている。
【課題を解決するための手段】
【０００６】
本考案は、シート体により形成され、外形が略直方体をなすと共に一壁面側が開口した袋体であって、前記袋体において隣接する２つの稜部が前記袋体の開口部から前記袋体の中途部まで切り込まれていて、該両切込部に、切込部を開閉可能にファスナーが取り付けられ、該ファスナーを開くことにより、前記袋体の前記２つの陵部間の壁片が外方に開くように形成されていることを特徴とする配達物収容袋である。
【０００７】
また、前記壁片と、該壁片と対向する対向壁片とには面ファスナーが設けられていることを特徴とする。かかる面ファスナーは、一方の面ファスナーが前記壁片の内側面に設けられ、他方の面ファスナーが前記対向壁片の内側面および外側面に設けられていることが好ましい。
これにより、運搬中において配達物収容袋から配達物が荷崩れしてしまうことがないため好都合である。
【０００８】
また、前記袋体の外周面に沿って周回され、一部が前記袋体に縫い付けられたベルトを有し、前記縫付部間を把持部として用いることを特徴とする。これにより、配達物収容袋の運搬を容易に行うことが可能になる。
【０００９】
また、前記袋体の壁片のうち少なくとも１つの壁片には収納ポケットが設けられていることを特徴とする。これにより、配達の際に必要な順路帳等を持ち歩くことが可能になり、効率的な配達業務を可能にする。
【考案の効果】
【００１０】
本考案に係る配達物収容袋によれば、配達物を属性に応じて複数種類のまとまりにすることができ、二輪車の荷台に積載することが可能になる。この際、荷台への固定方法は、従来用いられているゴム紐により固定することができるため、積載が容易である。また、シート体に帆布を用いているので、耐水性に富み、配達物の濡れを防止することができる。
特に配達物が新聞である場合には、新聞の種類に応じた別個の収容袋を用いればよいため、新聞の配達時間が遅くなってしまうおそれがない。
また、高層マンション等への配達物を二輪車で配達する際においては、階層ごとに配達物を分別した状態で荷台に積載することができるため、迅速な配達が可能になるという効果も有する。
【考案を実施するための最良の形態】
【００１１】
以下、添付図面に基づいて本考案にかかる配達物収容袋の実施形態について説明する。図１は本実施形態における配達物収容袋の左前方側斜視図である。図２は本実施形態における配達物収容袋の右後方側斜視図である。
【００１２】
本実施形態にかかる配達物収容袋１０は新聞配達用に用いる形態を想定して説明を行う。図１に示すように、配達物収容袋１０は、シート体１２により外形が略直方体をなす袋体に形成されている。配達物収容袋１０の容量は、運搬時において配達者に過度の身体的負担がかからないようにするため、四つ折りの新聞紙が１０ｋｇ〜２０ｋｇ収容することができる程度が好ましい。配達物収容袋１０の平面寸法を四つ折り状態の新聞紙大より若干大きく形成したことにより、二輪車の荷台に積載することができる。
また、シート体１２には、降雨時や降雪時において新聞紙が濡れないように保護するため、帆布が好適に用いられる。
【００１３】
配達物収容袋１０の一壁片（図１の上面に該当する部分）は開口部２２に形成されている。シート体１２の開口部側端部１２ａは、開口部２２の内側に折り返された後、シート体１２の内側面に縫い付けられている。
配達物収容袋１０の側面を構成する壁片２０ａ，２０ｂ，２０ｃ，２０ｄのうち、隣接する２つの陵部２４ａ，２４ｂ間の壁片２０ａには、開口部２２側から配達物収容袋１０の底面側に向かって切込部２６ａ，２６ｂが形成されている。切込部２６ａ，２６ｂは配達物収容袋１０の高さ方向の中途部分まで形成されている。切込部２６ａ，２６ｂには切込部２６ａ，２６ｂを開閉するためのファスナー２８ａ，２８ｂが取り付けられている。
【００１４】
配達物収容袋１０の外周面には、ベルト３０が取り付けられている。ベルト３０は、配達物収容袋１０の側面を構成するすべての壁片２０ａ，２０ｂ，２０ｃ，２０ｄを、ファスナー２８ａ，２８ｂの配設方向と直交する方向に周回させた状態で取り付けられている。ベルト３０は配達物収容袋１０の各陵部２４ａ，２４ｂ，２４ｃ，２４ｄのそれぞれに隣接する陵部２４ｂ，２４ｃ，２４ｄ，２４ａに向けて、所要幅で配達物収容袋１０に縫い付けることにより取り付けられている。縫付部３２，３２，３２・・・間のベルト３０の長さは、縫付部３２，３２，３２・・・間の離間距離よりも長く設けられているので、縫付部３２，３２，３２・・・間においてベルト３０がループ状に取り付けられた状態になっている。これにより配達物収容袋１０の壁片２０ａ，２０ｂ，２０ｃ，２０ｄとベルト３０の間には隙間部分が形成され、隙間部分を把持部３４として利用することができる。
【００１５】
切込部２６ａ，２６ｂが形成された壁片２０ａと壁片２０ａに対向する壁片２０ｂにはそれぞれ面ファスナー４０ａ，４０ｂ，４０ｃが配設されている。面ファスナー４０ａ，４０ｂ，４０ｃは壁片２０ａ，２０ｂに縫い付けられることにより取り付けられている。図１，図２に示すように、面ファスナー４０ａは、壁片２０ａの内側面（開口部２２側の面）に取り付けられ、面ファスナー４０ｂ，４０ｃは、対向壁片２０ｂの内側面（開口部２２側の面）および外側面にそれぞれ設けられている。
壁片２０ａに取り付けられた面ファスナー４０ａは、対向壁片２０ｂに取り付けられた面ファスナー４０ｂ，４０ｃのいずれに対しても係合可能になっている。
【００１６】
配達物収容袋１０の壁片２０ａの外表面側には収納ポケット５０が設けられている。収納ポケット５０は配達物収容袋１０の開口部２２側が開口するように３辺部分が配達物収容袋１０に縫い付けられている。収納ポケット５０は縫付部以外の部分が透明材料により形成されているので、収納ポケット内を外部から確認することができる。新聞配達においては順路帳を入れておくことができる。
【００１７】
図３は配達物収容袋に新聞を収容している状態を示す左前方側斜視図である。図４は、配達物収容袋を積み重ねた状態を示す説明図である。
配達物収容袋１０には、図３に示すように、４つ折りの新聞紙Ｓを収容することができる。新聞紙Ｓを配達物収容袋１０に収容する際には、ファスナー２８ａ，２８ｂを開き、壁片２０ａの陵部２４ａ，２４ｂの切込部２６ａ，２６ｂを復元する。壁片２０ａの陵部２４ａ，２４ｂに切込部２６ａ，２６ｂが復元されると、壁片２０ａが配達物収容袋１０の外方に開き、開口部２２の開口部分が広がり、新聞紙Ｓが収容しやすくなる。
【００１８】
新聞紙Ｓを配達物収容袋１０に収容した後、ファスナー２８ａ，２８ｂを開口部２２側に戻し、切込部２６ａ，２６ｂを閉じる。配達物収容袋１０の開口部２２側の端部は壁片２０ａに配設された面ファスナー４０ａを対向壁片２０ｂに配設された面ファスナーのいずれか一方４０ｂ，４０ｃに係合させて、開口部２２を閉じる。
【００１９】
配達物収容袋１０は、新聞紙Ｓの種類に対応させていることが好ましい。壁片２０ａに直交する壁片２０ｃまたは２０ｄに収納ポケット５０を設け、配達物収容袋１０に収容されている新聞紙Ｓの名称を示すカード（図示せず）を収納ポケット５０に収容すればより好適である。図３,図４においては、収納ポケット５０が配達物収容袋１０の壁片２０ｃ（および／または２０ｄ）に設けられているので、配達物収容袋１０を図４に示すように上下に積み重ねても収納ポケット５０内のカードが視認可能であるため、配達物収容袋１０の内部に収容されている新聞紙Ｓの種類を間違えるおそれはない。
【００２０】
以上に、本考案にかかる配達物収容袋について実施形態に基づいて詳細に説明したが、本考案の技術的範囲は以上の実施形態に限定されるものではないのはもちろんである。
例えば、以上に示した実施形態においては、配達物収容袋１０に収容する配達物を新聞としているが、配達物は新聞に限定されるものではなく、雑誌類等他の配達物を収容することもできる。また、シート体１２には帆布を用いているが、防水性を有するシート体１２であれば帆布以外のシート体１２であってもよい。
【００２１】
また、エントランス部分に各部屋のポストが設置されていない高層マンション等への配達物の配達業務や、配達物の営業所間における逓送業務等においては、階層毎または営業所毎に配達物を区分して梱包する用途に適用することも可能である。
この場合においても、収納ポケット５０に配達物の区分内容を表示してから配達物を運搬車輌に積載し、配達物の各部屋への配達や、配達物の営業所毎等への逓送をすることができる。このような形態で本物品を使用する場合においては、壁片２０ｃ，２０ｄの開口部２２側の端部を内側に折り畳み、この折り畳み部分に壁片２０ａと壁片２０ｂを被せるように折り畳み、面ファスナー４０ａと４０ｃとを係合させると好適である。具体的には図５に示すような荷姿になる。
【００２２】
また、配達物収容袋１０またはベルト３０に接続金具を設け、接続金具に肩掛け用ベルト（共に図示せず）を連結できる構成を採用すれば、一度に多数の配達物収容袋１０を運搬することができるため好都合である。
【００２３】
配達物収容袋１０に収容する配達物の内容の表示は、収納ポケット５０に表示カードをセットする替わりに、シート体の色彩により分別する形態を採用しても良い。また、収納ポケット５０は必ずしも透明部分が形成されていなくても良く、順路帳や表示カードのような薄物以外の物品も収容できる寸法に形成することの他、収納ポケット５０に図示しないファスナーを配設する形態とすることも可能である。
【図面の簡単な説明】
【００２４】
【図１】本実施形態における配達物収容袋の左前方側斜視図である。
【図２】本実施形態における配達物収容袋の右後方側斜視図である。
【図３】配達物収容袋に新聞を収容している状態を示す左前方側斜視図である。
【図４】配達物収容袋を積み重ねた状態を示す説明図である。
【図５】配達物収容袋の他の実施形態の一例を示す説明図である。
【符号の説明】
【００２５】
１０  配達物収容袋
１２  シート体
２０ａ，２０ｂ，２０ｃ，２０ｄ  壁面
２２  開口部
２４ａ，２４ｂ，２４ｃ，２４ｄ  陵部
２６ａ，２６ｂ  切込部
２８ａ，２８ｂ  ファスナー
３０  ベルト
３２  縫付部
３４  把持部
４０ａ，４０ｂ，４０ｃ  面ファスナー
５０  収納ポケット
Ｓ  新聞紙
【図１】
0003129958.tif 000003
【図２】
0003129958.tif 000004
【図３】
0003129958.tif 000005
【図４】
0003129958.tif 000006
【図５】
0003129958.tif 000007